(57)【特許請求の範囲】
【請求項１】
波長分割多重（ＷＤＭ）信号光を伝送するシステムにおける波長分割多重伝送装置であって、
入力側のＷＤＭ主信号光および出力側のＷＤＭ主信号光を波長ごとに監視する第１監視手段と、
前記第１監視手段の監視結果を前記システムの下流の装置へ送信し、上流の装置から受信した監視結果と前記第１監視手段の監視結果とを比較することで前記第１監視手段を監視する第２監視手段と、
を有することを特徴とする波長分割多重伝送装置。
【請求項２】
前記監視結果は、前記ＷＤＭ主信号光に多重された波長とは異なる波長で伝送される管理用信号により送信されることを特徴とする請求項１に記載の波長分割多重伝送装置。
【請求項３】
前記監視結果は、前記ＷＤＭ主信号光の各波長の信号光の有無を示すことを特徴とする請求項１または２に記載の波長分割多重伝送装置。
【請求項４】
前記監視結果は、前記ＷＤＭ主信号光で信号光が存在する波長の数を示すことを特徴とする請求項１または２に記載の波長分割多重伝送装置。
【請求項５】
下流装置から入力したＷＤＭ主信号光を光増幅して前記入力側のＷＤＭ主信号光を出力する入力側光増幅手段と
前記入力側のＷＤＭ主信号光のレベル制御を行う制御手段と、
前記レベル制御されたＷＤＭ主信号光を光増幅して前記出力側のＷＤＭ主信号光を出力する出力側光増幅手段と、
を更に有することを特徴とする請求項１−４のいずれか１項に記載の波長分割多重伝送装置。
【請求項６】
複数の下流装置からそれぞれＷＤＭ主信号光を入力し、複数のＷＤＭ主信号光から前記入力側のＷＤＭ主信号光を選択する波長選択手段を更に有することを特徴とする請求項１−５のいずれか１項に記載の波長分割多重伝送装置。
【請求項７】
波長分割多重（ＷＤＭ）信号光を伝送するシステムにおける波長分割多重伝送装置の信号光監視方法であって、
第１監視手段が入力側のＷＤＭ主信号光および出力側のＷＤＭ主信号光を波長ごとに監視し、
第２監視手段が前記第１監視手段の監視結果を前記システムの下流の装置へ送信し、上流の装置から受信した監視結果と前記第１監視手段の監視結果とを比較することで前記第１監視手段を監視する、
ことを特徴とする信号光監視方法。
【請求項８】
前記監視結果は、前記ＷＤＭ主信号光に多重された波長とは異なる波長で伝送される管理用信号により送信されることを特徴とする請求項７に記載の信号光監視方法。
【請求項９】
前記監視結果は、前記ＷＤＭ主信号光の各波長の信号光の有無を示すことを特徴とする請求項７または８に記載の信号光監視方法。
【請求項１０】
前記監視結果は、前記ＷＤＭ主信号光で信号光が存在する波長の数を示すことを特徴とする請求項７または８に記載の信号光監視方法。
【請求項１１】
波長分割多重（ＷＤＭ）信号光を伝送する波長分割多重伝送システムの信号光監視装置であって、
入力側のＷＤＭ主信号光および出力側のＷＤＭ主信号光を波長ごとに監視する第１監視手段と、
前記第１監視手段の監視結果を前記システムの下流の装置へ送信し、上流の装置から受信した監視結果と前記第１監視手段の監視結果とを比較することで前記第１監視手段を監視する第２監視手段と、
を有することを特徴とする信号光監視装置。
【請求項１２】
前記監視結果は、前記ＷＤＭ主信号光に多重された波長とは異なる波長で伝送される管理用信号により送信されることを特徴とする請求項１１に記載の信号光監視装置。
【請求項１３】
前記監視結果は、前記ＷＤＭ主信号光の各波長の信号光の有無を示すことを特徴とする請求項１１または１２に記載の信号光監視装置。
【請求項１４】
前記監視結果は、前記ＷＤＭ主信号光で信号光が存在する波長の数を示すことを特徴とする請求項１１または１２に記載の信号光監視装置。
【請求項１５】
請求項１−６のいずれか１項に記載の波長分割多重伝送装置が光伝送路を通して複数個接続された光伝送システム。
【請求項１６】
波長分割多重（ＷＤＭ）信号光を伝送する波長分割多重伝送システムにおける信号光監視装置としてプログラム制御プロセッサを機能させるプログラムであって、
入力側のＷＤＭ主信号光および出力側のＷＤＭ主信号光を波長ごとに監視する第１監視手段と、
前記第１監視手段の監視結果を前記システムの下流の装置へ送信し、上流の装置から受信した監視結果と前記第１監視手段の監視結果とを比較することで前記第１監視手段を監視する第２監視手段と、
を有する信号光監視装置として前記プログラム制御プロセッサを機能させることを特徴とするプログラム。
【発明の詳細な説明】
【技術分野】
【０００１】
本発明は波長分割多重（Wavelength Division Multiplexing：WDM）方式の光伝送システムおよびそれを構成する光ノードや光中継器等であるＷＤＭ伝送装置に係り、特に信号光監視機能を有するWDM伝送装置およびその信号光監視方法に関する。
【背景技術】
【０００２】
波長の異なる複数の光信号を１本の光ファイバに多重化する技術を用いたＷＤＭ光伝送システムにおいて、信号光監視機能を備えたＡＤＭ(Add-Drop Multiplex)装置や光中継装置などが種々提案されている。
【０００３】
たとえば、特許文献１に開示された波長光ＡＤＭ装置は、入力した波長多重光を波長ごとに分波し、各波長の光信号を分岐して受光することで障害検出を行う光信号障害監視手段を備える。また、特許文献２に開示された波長多重光アンプでは、光アンプの入力段あるいは出力段のいずれかに光分岐器と、波長多重光を波長ごとに分波して得られた光を監視するモニタ回路と、モニタ結果に従って出力段の可変光減衰器あるいは利得等化フィルタを制御する演算回路とを設けることにより、出力光のゲインプロファイルを波長に関して平坦にする。
【先行技術文献】
【特許文献】
【０００４】
【特許文献１】特開平１１−０５５７００号公報
【特許文献２】特開２００１−１６８８４１号公報
【発明の概要】
【発明が解決しようとする課題】
【０００５】
しかしながら、上記特許文献に記載されたようなＷＤＭ伝送装置では、入力された光信号が監視手段に入力するまでのルートに異常が発生すると、信号光監視を有効に行うことができなくなる。たとえば、光信号が実際に存在しない場合とルートに異常が生じた場合のいずれも光信号が検出できないので、監視手段は同じ警報を発することとなる。言い換えれば、監視手段は光信号が実際に存在しない場合とルートに異常が生じた場合とで障害原因を切り分けることができず、高精度の信号光監視を実現できない。
【０００６】
また、上記特許文献に記載されたようなＷＤＭ伝送装置では、当該装置の監視手段自体に異常が発生した場合、光信号の障害監視を行うことができなくなるか、あるいは誤った監視動作により、警報を発すべき時に発出しない、逆に警報を発すべきでない時に発出するという事態が生じうるという信頼性の低下をもたらしていた。
【０００７】
そこで、本発明の目的は、精度および信頼性の高い信号光監視を実現するＷＤＭ伝送装置およびその信号光監視方法を提供することにある。
【課題を解決するための手段】
【０００８】
本発明によるＷＤＭ伝送装置は、入力側のＷＤＭ主信号光および出力側のＷＤＭ主信号光を波長ごとに監視する第１監視手段と、前記第１監視手段の監視結果を前記システムの下流の装置へ送信し、上流の装置から受信した監視結果と前記第１監視手段の監視結果とを比較することで前記第１監視手段を監視する第２監視手段と、を有することを特徴とする。
【０００９】
本発明による信号光監視方法は、第１監視手段が入力側のＷＤＭ主信号光および出力側のＷＤＭ主信号光を波長ごとに監視し、第２監視手段が前記第１監視手段の監視結果を前記システムの下流の装置へ送信し、上流の装置から受信した監視結果と前記第１監視手段の監視結果とを比較することで前記第１監視手段を監視する、ことを特徴とする。
【発明の効果】
【００１０】
本発明によれば、精度および信頼性の高い信号光監視を実現することができる。
【図面の簡単な説明】
【００１１】
【図１】本発明の第１実施形態によるＷＤＭ伝送装置の機能的構成を示す概略的ブロック図である。
【図２】図１における主信号監視部の機能的構成例を示すブロック図である。
【図３】図１に示すＷＤＭ伝送装置の装置内監視動作を示すフローチャートである。
【図４】図１に示すＷＤＭ伝送装置の装置間監視動作を示すフローチャートである。
【図５】図１に示すＷＤＭ伝送装置からなる光伝送システムの一部分を示すシステム構成図である。
【図６】本発明の第２実施形態によるＷＤＭ伝送装置の機能的構成を示す概略的ブロック図である。
【発明を実施するための形態】
【００１２】
以下、本発明を実施するための形態について図面を参照して詳細に説明する。なお、本発明は、以下に述べる実施形態により限定されるものではない。
【００１３】
１．第１実施形態
１．１）ＷＤＭ伝送装置
図１に示すように、ＷＤＭ伝送装置１０は光伝送路１１を通して上流のＷＤＭ伝送装置と接続し、光伝送路１２を通して下流のＷＤＭ伝送装置と接続する。光伝送路１１、１２は、光ファイバケーブルである。また、ＷＤＭ伝送装置１０は、クライアント１３へ入力した所定波長の光信号をドロップ(Drop)し、クライアント１４から送信すべき所定波長の光信号をアド(Add)するＡＤＭ機能を有するものとする。以下、ＷＤＭ信号光における主信号光はC-BandあるいはL-Bandを使用し、後述する管理用信号は主信号と干渉しない任意の波長帯域を使用するものとする。
【００１４】
光伝送路１１から入力したＷＤＭ信号光は、光分岐部１０１を通して入力段の光アンプ１０２により増幅され、さらに光分岐部１０３を通して主信号制御部１０４に入力する。主信号制御部１０４は、入力段の光アンプ１０２から入力された信号光の主信号特性を維持するためのレベル等化制御を行う。主信号制御部１０４によりレベル等化されたＷＤＭ信号光は、光合波部１０５を通して出力段の光アンプ１０６により増幅され、光合波部１０７を通して光伝送路１２へ送出される。
【００１５】
主信号監視部１０８は、入力段の光アンプ１０２および出力段の光アンプ１０６からそれぞれの出力光を入力し、これら入力側および出力側のＷＤＭ信号光を用いて監視動作（第１監視）を行う。より詳しくは、主信号監視部１０８は、波長ごとに、入力段および出力段の信号光と所定のしきい値と比較することで信号光の有無を判定すると共に、入力側および出力側での光回路の異常検出を行う。さらに主信号監視部１０８は、装置管理部１１０から入力した各波長のパス情報（当該波長が透過するルートの情報）を参照することで波長ごとの主信号がパス情報と一致するか否かを判定し、不一致であれば、その旨を装置管理部１１へ通知する。また、主信号監視部１０８は、信号光判定結果を管理用信号送受信部１０９へ出力する。具体例は後述する。
【００１６】
管理用信号送受信部１０９は、光分岐部１０１により分岐された入力ＷＤＭ信号光の所定波長帯域の管理用信号を受信し、自局の信号光判定結果と比較することで自局動作の正常性を判定する（第２監視）。また、自局の信号光判定結果から所定波長帯域の管理用信号を生成し、光合波部１０７を通して主信号に波長多重し、光伝送路１２を通して下流のＷＤＭ伝送装置へ送出する。詳しくは後述する。
【００１７】
装置管理部１１０は、主信号監視部１０８および管理用信号送受信部１０９を制御し、ここでは主信号監視部１０８に対して各波長のパス情報（当該波長が透過するルートの情報）を出力するものとする。後述するように装置管理部１１０は異常発生の通知があると、異常の種類に応じた警報を発出してユーザに報知する。
【００１８】
図２に示すように、主信号監視部１０８は、入力段の光アンプ１０２の出力光と出力段の光アンプ１０６の出力光とを切替入力するための信号光切替部２０１を有する。信号光切替部２０１により入力された信号光は分波器２０２に入力し、主信号のｎ個（ｎは１以上の整数）の波長λ１−λｎに分波される。波長ごとに設けられた信号光検出部２０３．１−２０３．ｎは分波成分である信号光をそれぞれ受光して電気信号に変換し、信号光判定部２０３へそれぞれ出力する。したがって、信号光切替部２０１が入力段の光アンプ１０２の出力光を選択したときは入力側の波長ごとの受光信号が、出力段の光アンプ１０６の出力光を選択したときは出力側の波長ごとの受光信号が、それぞれ信号光判定部２０３へ出力される。
【００１９】
信号光判定部２０３は、次に説明するように、入力側／出力側の各波長の受光信号レベルを監視すると共に、装置管理部１１０からのパス情報を参照することで監視回路系の監視を行う。
【００２０】
１．２）第１監視動作
以下、装置管理部１１０および主信号監視部１０８による第１監視動作の一例を図３を参照しながら具体的に説明する。なお、この第１監視動作と同等の機能は、ＣＰＵ等のプログラム制御プロセッサ上で記憶媒体に格納されたコンピュータプログラムを実行することにより実現することも可能である。
【００２１】
図３において、主信号監視部１０８は、装置管理部１１０の制御に従って、信号光切替部２０１により入力段の光アンプ１０２の出力光と出力段の光アンプ１０６の出力光とを順次選択して、入力側および出力側の波長ごとの受光信号を信号光判定部２０３に格納する。続いて、入力側および出力側の受光信号をそれぞれ波長ごとに順次読み出し、以下の処理を実行する。
【００２２】
まず、信号光判定部２０３は、１つの波長の入力側および出力側の受光信号を読み出す（ステップ３０１）。そして、それぞれの受光信号レベルを所定のしきい値レベルと比較することで当該波長の信号光の有無を判定し、入力側および出力側の両方の受光信号レベルが所定しきい値レベル以上であるか否かを判断する（ステップ３０２）。入力側および出力側の片方あるいは両方の受光信号レベルが所定しきい値レベル以上でない場合（ステップ３０２：ＮＯ）、さらに信号光判定部２０３は入力側の受光信号レベルが所定しきい値レベル以上であるか否かを判断する（ステップ３０３）。
【００２３】
入力側の受光信号レベルが所定しきい値レベル以上であれば（ステップ３０３：ＹＥＳ）、当該波長の入力側の信号があるのに出力側に信号光が現れないのであるから、信号光判定部２０３は光アンプ１０６から主信号監視部１０８までの出力側の光回路に異常があると判断し、その異常情報を保持する（ステップ３０４）。
【００２４】
他方、入力側の受光信号レベルが所定しきい値レベルに達していない場合（ステップ３０３：ＮＯ）、さらに信号光判定部２０３は出力側の受光信号レベルが所定しきい値レベル以上であるか否かを判断する（ステップ３０５）。出力側の受光信号レベルが所定しきい値レベル以上であれば（ステップ３０５：ＹＥＳ）、当該波長の出力側の信号があるのに入力側に信号光が検出されないのであるから、信号光判定部２０３は光アンプ１０２から主信号監視部１０８までの入力側の光回路に異常があると判断し、その異常情報を保持する（ステップ３０６）。
【００２５】
入力側および出力側の両方とも受光信号レベルが所定しきい値レベル以上である場合（ステップ３０２：ＹＥＳ）あるいは入力側および出力側の両方とも受光信号レベルが所定しきい値レベルに満たない場合（ステップ３０５：ＮＯ）、信号光判定部２０３は当該波長の信号光が当該波長のパス情報と一致しているか否かを判定する（ステップ３０７）。一致していれば（ステップ３０７：一致）、信号光判定部２０３は当該波長の信号光判定結果（有／無）を管理用信号送受信部１０９へ出力する（ステップ３０８）。不一致であれば（ステップ３０７：不一致）、信号光判定部２０３は、主信号監視部１０８内の信号光切替部２０１、分波器２０２および／または受光系に異常があると判断し、その異常情報を保持する（ステップ３０９）。
【００２６】
信号光判定部２０３は、以上のステップ３０１−３０９を波長ごとに順次実行し（ステップ３１０：ＮＯ）、全波長で判定が完了すると（ステップ３１０：ＹＥＳ）、信号光判定部２０３は、上記ステップ３０４、３０６あるいは３０９で検出された異常情報を装置管理部１１０へ通知し、装置管理部１１０が異常種類に応じた警報を出力する（ステップ３１１）。ここでは、出力側光回路（ステップ３０４）、入力側光回路（ステップ３０６）あるいは監視回路系（ステップ３０９）の異常箇所を特定する警報をユーザに報知する。
【００２７】
なお、ステップ３０７における信号光の有無情報とパス情報との一致判定は、信号光が有である個数（波長数）がパス情報と一致するか否かを判定してもよい。たとえば、信号光判定部２０３は、ステップ３０２で入力側および出力側の両方とも受光信号レベルが所定しきい値レベル以上であると判定された回数をカウントすることで波長数を求めることができる。
【００２８】
１．３）第２監視動作
以下、装置管理部１１０および管理用信号送受信部１０９による第２監視動作の一例を図４および図５を参照しながら具体的に説明する。なお、この第２監視動作と同等の機能は、ＣＰＵ等のプログラム制御プロセッサ上で記憶媒体に格納されたコンピュータプログラムを実行することにより実現することも可能である。ここでは、複数のＷＤＭ伝送装置が光伝送路で順次接続されたＷＤＭ光伝送システムを考える。
【００２９】
図５に示すようにＷＤＭ伝送装置１０とＷＤＭ伝送装置４０とが光伝送路１２で接続されているものとする。ＷＤＭ伝送装置１０とＷＤＭ伝送装置４０とは基本的に同じ回路構成および機能を有しているので、ＷＤＭ伝送装置１０の構成要素（参照番号１０１−１１０）にそれぞれ対応するＷＤＭ伝送装置４０の構成要素を参照番号４０１−４１０で示すものとする。光伝送システムの各ＷＤＭ伝送装置は装置監視端末５０により監視されている。
【００３０】
上述したように、ＷＤＭ伝送装置１０の管理用信号送受信部１０９は主信号監視部１０８から波長ごとの信号光判定結果（有／無）を入力すると、その信号光判定結果を載せた管理用信号を生成し、主信号に波長多重して光伝送路１２を通して下流のＷＤＭ伝送装置４０へ送出する。この管理用信号を受信したＷＤＭ伝送装置４０を一例として、図４を参照しながら装置間監視動作について説明する。
【００３１】
図４において、光伝送路１２から到達した信号光は光分岐部４０１により分岐され、管理用信号送受信部４０９へ入力する。管理用信号送受信部４０９は、所定波長帯域の管理用信号を入力すると、その管理用信号から上流のＷＤＭ伝送装置１０での信号光判定結果を読み出して格納する（ステップ３２０）。
【００３２】
続いて、管理用信号送受信部４０９は主信号監視部４０８から波長ごとの信号光判定結果（有／無）を入力すると（ステップ３２１）、上述したように、その信号光判定結果を載せた管理用信号を生成して主信号に波長多重し、更に下流のＷＤＭ伝送装置へ送出する（ステップ３２２）。これと並行して、管理用信号送受信部４０９は、上流のＷＤＭ伝送装置１０から受信した上流装置の信号光判定結果と、主信号監視部４０８から入力した自局の信号光判定結果とを波長ごとに比較する（ステップ３２３）。上流装置の信号光判定結果と自局の信号光判定結果とが一致していれば（ステップ３２３：一致）、自局の監視機能は正常であると判断される。これに対して、一致しない場合は（ステップ３２３：不一致）、自局の監視機能に異常が生じていると判断され、装置管理部４１０に対してその旨が通知され、装置管理部４１０によって当該異常を示す警報が出力される（ステップ３２４）。
【００３３】
上述したＷＤＭ伝送装置４０の管理用信号送受信部４０９の監視動作は、ＷＤＭ伝送装置１０の管理用信号送受信部１０９でも全く同様である。このように、光伝送システムのＷＤＭ伝送装置間で信号光判定結果が順次転送され、各ＷＤＭ伝送装置の管理用信号送受信部において比較判定されることでシステム全体の信号光監視が可能となり、信頼性を向上させることができる。
【００３４】
１．４）効果
本発明の第１実施形態によれば、装置内の２箇所の監視点（入力段および出力段の光アンプ出力）で信号光の有無を判定しているので、装置内のどちらかの光アンプと主信号監視部との間のルートに異常が発生し、結果として信号光が検出できない場合でも、その異常状態を検出して警報を発出できる。また、管理用信号を利用することにより装置間で信号光の有無情報（信号光判定結果）を共有しているので、当該装置の主信号監視部自体が異常をきたし、結果として上流の装置との間に波長単位の信号光有無情報に不一致が生じた場合でも異常である旨の警報を発出できる。
【００３５】
よって、本実施形態によるＷＤＭ伝送装置は、装置内の複数箇所での監視と、装置間で監視結果を転送することにより各装置内の監視系を監視することも可能となり、結果的に高精度で信頼性の高い信号光監視が可能となる。
【００３６】
２．第２実施形態
本発明によるＷＤＭ伝送装置の基本的構成は上記第１実施形態と同様であるが、主信号制御部への入力が複数あり、装置内で波長選択した後にレベル等化を行う点が異なっている。このように複数の入力ＷＤＭ信号光から波長選択によりＷＤＭ信号光を出力するＷＤＭ伝送装置に本発明を適用する場合であっても、第１実施形態と同様の効果を得ることができる。以下、入力系統が２個である場合を一例として説明する。
【００３７】
図６において、ＷＤＭ伝送装置６０は光伝送路１１および１５を通してそれぞれ上流の２つのＷＤＭ伝送装置と接続し、光伝送路１２を通して下流のＷＤＭ伝送装置と接続しているものとする。
【００３８】
光伝送路１１から入力したＷＤＭ信号光は、光分岐部６０１を通して入力段の光アンプ６０２により増幅され、波長選択スイッチ６０３に入力する。同様に、光伝送路１５から入力したＷＤＭ信号光は、光分岐部６０４を通して入力段の光アンプ６０５により増幅され、波長選択スイッチ６０３に入力する。波長選択スイッチ６０３により選択された波長の信号光は、主信号制御部６０６によりレベル等化され、出力段の光アンプ６０７により増幅され、光合波部６０８を通して光伝送路１２へ送出される。
【００３９】
主信号監視部６０９は、入力段の光アンプ６０２および６０５および出力段の光アンプ６０７からそれぞれの出力光を入力し、選択された入力側のＷＤＭ信号光および出力側のＷＤＭ信号光を用いて監視動作を行う。入力側のＷＤＭ信号光が選択される点を除けば、主信号監視部６０９の構成および機能は第１実施形態における主信号監視部１０８と同様であるから、詳細な説明は省略する。
【００４０】
管理用信号送受信部６１０は、光分岐部６０１および６０４により分岐された２系統の入力ＷＤＭ信号光の所定波長帯域の管理用信号を受信し、自局の信号光判定結果と比較することで自局動作の正常性を判定する。また、自局の信号光判定結果から所定波長帯域の管理用信号を生成し、光合波部６０８を通して主信号に波長多重し、光伝送路１２を通して下流のＷＤＭ伝送装置へ送出する。管理用信号送受信部６１０の機能も、入力側のＷＤＭ信号光が選択される点を除けば、第１実施形態における管理用信号送受信部１０９と同様であるから、詳細な説明は省略する。
【００４１】
装置管理部６１１は、波長選択スイッチ６０３、主信号監視部６０９および管理用信号送受信部６１０を制御し、異常発生の通知があると、異常の種類に応じた警報を発出してユーザに報知する。装置管理部６１１の基本的な機能も、波長選択制御を除いて、第１実施形態における装置管理部１１０と同様であるから、詳細な説明は省略する。
【００４２】
また、本実施形態では波長選択スイッチ６０３には２つの入力ポートが設けられているが、これに限定されるものではなく、任意の個数の入力ポートにそれぞれＷＤＭ信号光が入力し選択される場合にも適用可能である。
【産業上の利用可能性】
【００４３】
本発明は光伝送システムに設置されるＷＤＭ伝送装置に適用可能である。
【符号の説明】
【００４４】
１０、４０、６０  ＷＤＭ伝送装置
１１，１２、１５  光伝送路
１３，１４  クライアント
１０１  光分岐部
１０２  光アンプ（入力段）
１０３  光分岐部
１０４  主信号制御部
１０５  光合波部
１０６  光アンプ（出力段）
１０７  光合波部
１０８  主信号監視部
１０９  管理用信号送受信部
１１０  装置管理部
２０１  信号光切替部
２０２  光分波部
２０３．１−２０３．ｎ  信号光検出部
２０４  信号光判定部
【図１】
0005435223.tif 000002
【図２】
0005435223.tif 000003
【図３】
0005435223.tif 000004
【図４】
0005435223.tif 000005
【図５】
0005435223.tif 000006
【図６】
0005435223.tif 000007